(57)【要約】【課題】接着部分の開封が行われた場合に、「開封済み」などの表記が顕在化してその開封状態を表示し、取外しおよび再度の装着がなされても、その誤使用ないし不正使用を防止可能であって、低コストかつ装着操作が簡単なリストバンドを提供すること。【解決手段】リストバンドの開封状態、すなわち、帯状のバンド本体２が輪状を解かれたときに、その解除状態を表示することができるようにすることに着目したもので、個人情報を表示するための帯状のバンド本体２と、バンド本体２の一方の端部６に形成した開封表示層３と、開封表示層３の裏面に形成するとともにバンド本体２の他方の端部７に接着可能な接着剤層４と、を有し、開封表示層３と接着剤層４との間の第１の接着力を、接着剤層４とバンド本体２の他方の端部７との間の第２の接着力より弱くしてあることを特徴とする。【選択図】図２
2008026473.tif 000002
【特許請求の範囲】
【請求項１】
人体の四肢の少なくともいずれかひとつに巻き付けるとともに、その人体の個人情報を表示可能なリストバンドであって、
前記個人情報を表示するための帯状のバンド本体と、
このバンド本体の一方の端部に形成した開封表示層と、
この開封表示層の裏面に形成するとともに、前記バンド本体の他方の端部に接着可能な接着剤層と、
を有し、
前記開封表示層と前記接着剤層との間の第１の接着力を、前記接着剤層と前記バンド本体の前記他方の端部との間の第２の接着力より弱くしてあることを特徴とするリストバンド。
【請求項２】
前記開封表示層は、前記接着剤層との間の接着を開封したときに、この開封状態を表示可能としてあることを特徴とする請求項１記載のリストバンド。
【請求項３】
前記開封表示層は、前記開封表示層自体が破壊されたときに、この開封状態を表示可能としてあることを特徴とする請求項１記載のリストバンド。
【発明の詳細な説明】
【技術分野】
【０００１】
本発明はリストバンドにかかるもので、とくに病院などにおいて患者の四肢たとえば手首あるいは足首に環状にゆるく巻き付けて個人情報を表示するためのリストバンドに関するものである。
【背景技術】
【０００２】
従来から、病院などにおいて患者の診療科、氏名、年齢、血液型などその個人固有の識別データをリストバンドに印字して表示した上で、患者の四肢たとえば手首あるいは足首に環状にゆるく巻き付けて、患者の特定を確実にすることが行われている。
【０００３】
このリストバンドの固定方法としては、たとえば、合成樹脂製の帯状のバンド本体に複数個の固定孔を開けて、クリップにより固定するものがある（たとえば特許文献１）。
しかしながら、この構成では、リストバンド固定のためにクリップが必要であり、操作が面倒であるとともに、低コストでの提供が困難であるという問題がある。
【０００４】
したがって、バンド本体の端部に接着剤を塗布しておき、輪状にして接着する構成のリストバンドもある。
しかしながら、この接着剤を用いる構成のリストバンドでは、低コストかつ装着操作が簡単である反面、接着部分を開封してリストバンドを一時的に取り外すことが可能であり、再度の装着時に、本人とは異なる患者にリストバンドを取り付けてしまう可能性があり、医療現場では重大な問題に発展しかねないという問題がある。
【０００５】
なお、病院以外にも、遊園地や遊戯施設その他において入場券や遊戯券として個人の特定のためにリストバンドが使用される場合があり、上記接着部分の開封および再接着が可能であれば、リストバンドの使い回しなど不正な取扱いを招きかねないという問題もある。
【０００６】
【特許文献１】特開２００３−２８９９１７号公報
【発明の開示】
【発明が解決しようとする課題】
【０００７】
本発明は以上のような諸問題にかんがみなされたもので、低コストかつ装着操作が簡単なリストバンドを提供することを課題とする。
【０００８】
また本発明は、接着部分の開封が行われた場合に、「開封済み」、「無効」、「ＶＯＩＤ」などの表記が顕在化してその開封状態を表示可能なリストバンドを提供することを課題とする。
【０００９】
また本発明は、取外しおよび再度の装着がなされても、その誤使用ないし不正使用を防止可能なリストバンドを提供することを課題とする。
【課題を解決するための手段】
【００１０】
すなわち本発明は、リストバンドの開封状態、すなわち、帯状のバンド本体が輪状を解かれたときに、その解除状態を表示することができるようにすることに着目したもので、人体の四肢の少なくともいずれかひとつに巻き付けるとともに、その人体の個人情報を表示可能なリストバンドであって、上記個人情報を表示するための帯状のバンド本体と、このバンド本体の一方の端部に形成した開封表示層と、この開封表示層の裏面に形成するとともに、上記バンド本体の他方の端部に接着可能な接着剤層と、を有し、上記開封表示層と上記接着剤層との間の第１の接着力を、上記接着剤層と上記バンド本体の上記他方の端部との間の第２の接着力より弱くしてあることを特徴とするリストバンドである。
【００１１】
上記開封表示層は、上記接着剤層との間の接着を開封したときに、この開封状態を表示可能としてあることができる。
【００１２】
上記開封表示層は、上記開封表示層自体が破壊されたときに、この開封状態を表示可能としてあることができる。
である。
【００１３】
上記接着剤層の裏面に剥離紙を仮着しておくことができる。
【発明の効果】
【００１４】
本発明によるリストバンドにおいては、帯状のバンド本体に開封表示層を形成し、この開封表示層と接着剤層との間の第１の接着力を、接着剤層とバンド本体の他方の端部との間の第２の接着力より弱くしたので、開封表示層が剥がれたとき、あるいは破壊されたときに、その開封状態を表示可能とし、再度の使用についての警告を行うことができる。
すなわち、病院での使用であれば、新しいリストバンドに付け替えることにより正しい個人識別状態を保持することができるので、リストバンドと患者本人との一致を確実にしてその信頼性を高め、誤使用の防止ないし医療過誤の防止となり、遊園地や遊戯施設などでは不正使用の防止に役立つ。
【発明を実施するための最良の形態】
【００１５】
本発明は、帯状のバンド本体に開封表示層と接着剤層とを設ける構成としたので、低コストかつ簡単な操作で装着が可能であるとともに、誤使用ないし不正使用の防止が可能なリストバンドを実現した。
【実施例】
【００１６】
つぎに本発明の第１の実施例によるリストバンド１を図１ないし図４にもとづき説明する。
図１は、リストバンド１の平面図、図２は、図１のＩＩ−ＩＩ線拡大断面図であって、リストバンド１は、その積層方向に、バンド本体２と、開封表示層３と、接着剤層４と、剥離紙５と、を有する。
リストバンド１は、たとえば病院などにおいて患者を特定するために、患者の四肢の少なくともいずれかひとつに巻き付けるとともに、その表面側にその個人情報を印字して表示可能なものであって、左右一対の細幅の巻付け用帯部６、７と、その間の中央太幅の情報印字表示部８と、を有する。
【００１７】
バンド本体２は、好ましくは軟性の合成樹脂その他の材料による透明な基材であって、中央の情報印字表示部８の表面側に個人情報を印字して表示可能とする。
【００１８】
開封表示層３は、バンド本体２の一方の端部（一方の巻付け用帯部６）の裏面側にこれを形成してあり、さらにその裏面側に接着剤層４を積層し、接着剤層４との間の接着状態を無理ないしは故意に開封したときに、この開封状態を表示可能としてある。
すなわち、開封表示層３は、たとえばベタ印刷層９と、接着剤層４との間の境界部分に設けた透明印刷部１０と、を有し、この透明印刷部１０により、「開封済み」、「無効」、「ＶＯＩＤ」などの開封状態を示す任意の表記をあらかじめ印刷してある。
開封表示層３と接着剤層４との間の接着が解除開封されることにより、開封表示層３（ベタ印刷層９）と接着剤層４（透明印刷部１０）との間に空気が入り込み、これらの表記が顕在化して、外部から開封状態を認識可能となる。
【００１９】
接着剤層４は、開封表示層３の裏面にこれを形成するとともに、バンド本体２の他方の端部（他方の巻付け用帯部７）にこれを接着可能とすることにより、リストバンド１を輪状にして、手首や足首に巻き付け可能とする。
すなわち、図３は、リストバンド１を輪状とした状態を示す斜視図であって、たとえば患者の手首Ｗに巻き付け可能とする。
【００２０】
また、開封表示層３と接着剤層４との間の第１の接着力を、接着剤層４とバンド本体２の他方の端部（他方の巻付け用帯部７の表面側）との間の第２の接着力より弱くしてあるもので、患者自身が図３の巻付け状態を開封しようとしてリストバンド１の一方の巻付け用帯部６と他方の巻付け用帯部７との間を剥がそうとしたときに、開封表示層３と接着剤層４との間が優先的に開封されて、透明印刷部１０の表記が顕在化するようになっている。
なお、開封表示層３と接着剤層４との間が開封されたときに、透明印刷部１０は、転着部として接着剤層４側に転着するものとする。
【００２１】
こうした構成のリストバンド１において、図１に示すように、情報印字表示部８に患者の情報を印字して表示し、図３に示すように、一方の巻付け用帯部６における剥離紙５を剥がし、その接着剤層４を他方の巻付け用帯部７に貼り付けることにより手首Ｗにリストバンド１を巻き付け、患者の特定を可能とする。
【００２２】
しかして、患者がリストバンド１を剥がそうとして、一方の巻付け用帯部６および他方の巻付け用帯部７の部分における積層状態を解除しようとしたときに、開封表示層３と接着剤層４との間の第１の接着力が、接着剤層４と他方の巻付け用帯部７との間の第２の接着力より小さいので、図４に示すように、開封表示層３と接着剤層４との間の積層が優先的に解除される。
図４は、開封表示層３と接着剤層４との間の積層が解除された状態を示す要部拡大断面図であって、開封表示層３に空気層１１が形成され、透明印刷部１０が空気中に露出され、この透明印刷部１０による「開封済み」、「無効」、「ＶＯＩＤ」などの表記が視認可能となり、開封表示層３と接着剤層４とを再接着したとしても、外部からこの開封状態を確認することができる。
したがって、開封されたリストバンド１を破棄し、新しいリストバンド１と交換することにより、万が一の誤使用を回避することができる。
もちろん、遊園地や遊技場などにおける入場券としてリストバンド１を使用する場合には、その不正使用を防止可能である。
【００２３】
図５は、本発明の第２の実施例によるリストバンド２０の、図２と同様の要部拡大断面図であって、リストバンド２０においては、リストバンド１（図１、図２）と同様に、バンド本体２、開封表示層２１、接着剤層４および剥離紙５を有するが、開封表示層２１自体を多層構造としている。
【００２４】
すなわち、開封表示層２１は、透明フィルム層２２と、前記ベタ印刷層９および透明印刷部１０と、を有する。
開封表示層２１は、開封表示層２１自体が破壊されたときに、すなわち、ベタ印刷層９と透明フィルム層２２との間が開封されたときに、この開封状態を表示可能としてある。
なお、開封表示層２１においては、透明フィルム層２２とベタ印刷層９との間の第３の接着力を、開封表示層３と接着剤層４との間の第１の接着力、接着剤層４と他方の巻付け用帯部７との間の第２の接着力より、さらに小さくしてある。
【００２５】
こうした構成のリストバンド２０においても、既述のリストバンド１の場合と同様に、患者が一方の巻付け用帯部６および他方の巻付け用帯部７の間の接着を解除しようとしても、透明フィルム層２２とベタ印刷層９との間が優先的に開封され、開封表示層２１の部分を破壊することになって、透明印刷部１０がベタ印刷層９に転着し、透明印刷部１０による「開封」などの表記が顕在化し、その開封状態を外部から確認することができる。
【００２６】
なお、本発明においては、開封表示層の構成は、バンド本体２と接着剤層４との間に積層するものであれば、上述の例以外にも各種のものを採用可能であり、バンド本体２や接着剤層４の材質などに応じて任意のものを選択することができる。
【図面の簡単な説明】
【００２７】
【図１】本発明の第１の実施例によるリストバンド１の平面図である。
【図２】同、図１のＩＩ−ＩＩ線拡大断面図である。
【図３】同、リストバンド１を輪状とした状態を示す斜視図である。
【図４】同、開封表示層３と接着剤層４との間の積層が解除された状態を示す要部拡大断面図である。
【図５】本発明の第２の実施例によるリストバンド２０の、図２と同様の要部拡大断面図である。
【符号の説明】
【００２８】
１  リストバンド（第１の実施例、図１）
２  バンド本体
３  開封表示層
４  接着剤層
５  剥離紙
６  一方の巻付け用帯部（一方の端部）
７  他方の巻付け用帯部（他方の端部）
８  情報印字表示部
９  ベタ印刷層
１０  透明印刷部
１１  空気層（図４）
２０  リストバンド（第２の実施例、図５）
２１  開封表示層
２２  透明フィルム層
Ｗ    患者の手首（図３）
【図１】
2008026473.tif 000003
【図２】
2008026473.tif 000004
【図３】
2008026473.tif 000005
【図４】
2008026473.tif 000006
【図５】
2008026473.tif 000007